(57)【要約】【課題】弾性片部に形成した被係止部を、係止部から外す、あるいは、前記係止部へ係止するために、ねじ脱落防止用金具を押し下げ、あるいは押し上げる際、前記ねじ脱落防止用金具本体にとって歪などの変形が生じ、この変形に起因して、被接続用配線の接続端をねじで固定した折の電気的接触に悪影響を及ぼす可能性がある。【解決手段】端子ねじ脱落防止用金具は、端子ねじ保持板と、前記端子ねじ保持板の両端から延設した側板と、前記側板の端部のうち端子ねじ保持板との端部の他端から外方に向かって形成した係止板とで構成され、プリント基板に実装した端子台の両脇に部材が配置され、前記端子ねじを前記ねじ穴から外した上で、前記端子ねじ脱落防止用金具を前記端子台から離す方向へ移動させると、前記部材に形成した係止端部が前記係止板に当接することで、前記端子ねじ脱落防止用金具を前記部材各々に係止する構造であることを特徴とした端子台を提供する。【選択図】図２
2011216298.tif 000002
【特許請求の範囲】
【請求項１】
ねじ穴を形成した端子台本体と、ねじ頂とねじ部との間にねじを切っていない円筒部を形成した半ねじ形状の端子ねじと、前記端子ねじの円筒部を回動自在に保持した端子ねじ脱落防止用金具とを備えた端子台において、
前記端子ねじ脱落防止用金具は、前記端子ねじを保持した端子ねじ保持板と、前記端子ねじ保持板の両端から延設した側板と、前記側板の端部のうち端子ねじ保持板との端部の他端から外方に向かって形成した係止板とで構成され、
前記端子台本体は、前記端子ねじ脱落防止用金具を被して配置した上で、前記端子ねじを前記ねじ穴へ螺合して締め付けると、前記ねじ脱落防止用金具の前記端子ねじ保持板と、前記端子台本体のねじ穴を形成した面とで、被接続用配線の接続端を挟み固定する構造であり、
プリント基板に実装した端子台の両脇に部材が配置され、
前記端子ねじを前記ねじ穴から外した上で、前記端子ねじ脱落防止用金具を前記端子台から離す方向へ移動させると、前記部材各々に形成した係止端部各々が前記係止板各々に当接することで、前記端子ねじ脱落防止用金具を前記部材各々に係止する構造であることを特徴とした端子台。
【請求項２】
前記端子ねじ脱落防止用金具の前記側板各々に、弾性を有する突起片を形成し、
前記部材各々の前記係止端部は、オーバーハングのある段の形状であり、
前記ねじを前記ねじ穴から外した上で、前記端子ねじ脱落防止用金具を前記端子台から離す方向へ移動させると、前記端子ねじ脱落防止用金具の突起片各々が前記係止端部と圧接しつつ、前記突起片各々の内方へ変形して前記係止端部各々を乗り越え、前記突起片各々が前記係止端部各々を乗り越えると、前記突起片各々は形状を復元したことで前記係止端部に当接し、
前記係止端部各々が、前記係止板各々に当接すると共に、前記突起片各々に当接することで、前記端子ねじ脱落防止用金具を前記部材各々に係止する構造であることを特徴とした請求項１記載の端子台。
【請求項３】
前記端子台本体に、前記端子ねじ脱落防止用金具を被して配置した状態で、前記端子台本体と前記端子ねじ脱落防止用金具の間の空間に、圧縮ばねを配置し、
前記圧縮ばねは、前記端子台本体囲うように配置され、
前記ねじを前記ねじ穴から外すと、前記圧縮ばねが伸びて、前記部材各々に形成した係止端部各々が前記係止板各々に当接することで、前記端子ねじ脱落防止用金具を前記部材各々に係止する構造であることを特徴とした請求項１記載の端子台。
【発明の詳細な説明】
【技術分野】
【０００１】
本発明は端子台に関するものであり、より詳しくは被接続用配線の接続端を端子台に接続するための構造に関するものである。
【背景技術】
【０００２】
従来、プリント基板に実装する端子台として、図５に示すように、略山形状の端子台本体１０１に設けられた係止部１０１ａに、ねじ脱落防止用金具１０２に設けられた被係止部１０２ａを係止することで、ワッシャ１０４を介在して、前記ねじ脱落防止用金具１０２に保持されたねじ１０３と前記端子台本体１０１との間に、空間を設けることができ、この空間に、図示しない被接続用配線の接続端を差し込むことができる端子台１００が知られている（特許文献１）。
【先行技術文献】
【特許文献】
【０００３】
【特許文献１】特開平９−７６５５
【発明の概要】
【発明が解決しようとする課題】
【０００４】
結線を行うにあたり、この空間に、前記被接続用配線の接続端を差し込んだ上で、前記ねじ脱落防止用金具１０２をと前記端子台本体１０１へ押し下げつつ、前記ねじ１０３を、接続端に形成したねじ穴へ挿通し、続けて、前記端子台本体１０１に設けたねじ穴に螺合する。そして、前記ねじ脱落防止用金具１０２の頂部両側部から延設された弾性片部それぞれは、互いに接近する内側方向への付勢力が付与されている。
【０００５】
しかしながら、前記弾性片部に形成した被係止部１０２ａを、前記係止部１０１ａから外す、あるいは、前記係止部１０１ａへ係止するために、前記ねじ脱落防止用金具１０２を押し下げ、あるいは押し上げる際、前記弾性片部に働く付勢力へ抗い、前記弾性片部それぞれを互いの外方へ力を作用させるため、前記ねじ脱落防止用金具１０２の頂部の両端部や、前記ねじ脱落防止用金具１０２の弾性片部各々に、力が作用して、前記ねじ脱落防止用金具１０２本体にとって歪などの変形が生じる可能性がある。この変形に起因して、被接続用配線の接続端を前記ねじ１０３で固定した折の電気的接触に悪影響を及ぼす可能性がある。
【０００６】
そこで、本発明は、ねじ脱落防止用金具本体にとって歪などの変形が生じさせない、被接続用配線の接続端を端子台に接続するための構造を提供することを目的とする。
【課題を解決するための手段】
【０００７】
本発明の態様は、ねじ穴を形成した端子台本体と、ねじ頂とねじ部との間にねじを切っていない円筒部を形成した半ねじ形状の端子ねじと、前記端子ねじの円筒部を回動自在に保持したねじ脱落防止用金具とを備えた端子台において、  前記ねじ脱落防止用金具は、前記端子ねじを保持した端子ねじ保持板と、前記端子ねじ保持板の両端から延設した側板と、前記側板の端部のうち端子ねじ保持板との端部の他端から外方に向かって形成した係止板とで構成され、  前記端子台本体は、前記ねじ脱落防止用金具を被して配置した上で、前記端子ねじを前記ねじ穴へ螺合して締め付けると、前記ねじ脱落防止用金具の前記端子ねじ保持板と、前記端子台本体のねじ穴を形成した面とで、被接続用配線の接続端を挟み固定する構造であり、  プリント基板に実装した端子台の両脇に部材が配置され、  前記ねじを前記ねじ穴から外した上で、前記ねじ脱落防止用金具を前記端子台から離す方向へ移動させると、前記部材各々に形成した係止端部各々が前記係止板各々に当接することで、前記ねじ脱落防止用金具を前記部材各々に係止する構造であることを特徴とした端子台である。
【発明の効果】
【０００８】
本発明によれば、ねじ脱落防止用金具本体にとって歪などの変形を無くすことが可能な端子台を提供することが可能である。
【図面の簡単な説明】
【０００９】
【図１】本発明の第１の実施の形態に係る端子台の構造図である。
【図２】本発明の第１の実施の形態に係るプリント基板用端子台に実装した端子台と部材の構造図である。
【図３】本発明の第１の実施の形態の変形例に係る端子台の構造図である。
【図４】本発明の第２の実施の形態に係る端子台の構造図である。
【図５】従来のプリント基板用端子台の構造を示す説明図である。
【発明を実施するための形態】
【００１０】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１１】
（第１の実施の形態）
第１の実施の形態に係る端子台は、ねじ穴を形成した端子台本体と、ねじ頂とねじ部との間にねじを切っていない円筒部を形成した半ねじ形状の端子ねじと、前記端子ねじの円筒部を回動自在に保持した端子ねじ脱落防止用金具とを備えた端子台において、  前記端子ねじ脱落防止用金具は、前記端子ねじを保持した端子ねじ保持板と、前記端子ねじ保持板の両端から延設した側板と、前記側板の端部のうち端子ねじ保持板との端部の他端から外方に向かって形成した係止板とで構成され、  前記端子台本体は、前記端子ねじ脱落防止用金具を被して配置した上で、前記端子ねじを前記ねじ穴へ螺合して締め付けると、前記端子ねじ脱落防止用金具の前記端子ねじ保持板と、前記端子台本体のねじ穴を形成した面とで、被接続用配線の接続端を挟み固定する構造であり、  プリント基板に実装した端子台の両脇に部材が配置され、  前記ねじを前記ねじ穴から外した上で、前記端子ねじ脱落防止用金具を前記端子台から離す方向へ移動させると、前記部材各々に形成した係止端部各々が前記係止板各々に当接することで、前記端子ねじ脱落防止用金具を前記部材各々に係止する構造であることを特徴とした端子台である。
【００１２】
図１（ａ）に示すように、端子台１は、端子台本体２と、端子ねじ脱落防止用金具３と、端子ねじ４で構成されている。この端子台１は、例えば、プリント基板１０に実装される用途で使用される。
【００１３】
端子ねじ４は、ねじ頂４ａとねじ部４ｃとの間に、ねじを切っていない円筒部４ｂを形成した、いわゆる半ねじの形状をもっている。端子ねじ脱落防止用金具３は、端子ねじ４の円筒部４ｂを保持する貫通穴を形成しており、この貫通穴の直径は、端子ねじ４のねじ頂４ａの径よりも小さいと共に、端子ねじ４のねじ部４ｃの外径よりも小さいので、端子ねじ４は、端子ねじ脱落防止用金具３から脱落しない構造となっている。
【００１４】
端子台本体２には、ねじ穴が形成されており、端子ねじ４がこのねじ穴に螺合するように、互いに配置される。端子ねじ脱落防止用金具３は端子台本体２に被さるように、端子台本体２に対向した位置に配置される。端子ねじ脱落防止用金具３と端子台本体との間に、圧着端子などの被接続用配線の接続端１１を配置し、この接続端１１を端子ねじ４を差し込んだ上で、端子ねじ４を前記ねじ穴に螺合して締め付けることで、端子ねじ脱落防止用金具３と端子台本体２との間で、被接続用配線の接続端１１が固定され、端子台本体２の導電面と被接続用配線の接続端１１との間で、電気的に接続される事になる。
【００１５】
端子ねじ脱落防止用金具３は、端子ねじ４を保持した貫通穴を形成した端子ねじ保持板３ａと、前記端子ねじ保持板３ａの両端から延設した側板３ｂと、前記側板の端部のうち端子ねじ保持板との端部の他端から外方に向かって形成した係止板３ｄとで構成される。なお、図１（ｂ）に示すように、端子ねじ脱落防止用金具３は、コの字の形状を持っていても良いが、端子台本体２に被さるように、端子台本体２に対向した位置に配置できる形状であれば、コの字以外の形状でも良い。
【００１６】
端子ねじ脱落防止用金具３は、側板３ｂ各々に、弾性を有する突起片３ｃを形成している。係止板３ｃは、外方への付勢力が付与されている構造である。突起片３ｃへ外方から力が作用すると、突起片３ｃが持つ弾性により、内方へ縮むように変形する。そして、外方からの力に応じて、内方へ縮むように変形した突起片３ｃは、外方からの力が小さくなるに応じて、突起片３ｃが持つ弾性により、外方へその形状を復元する。なお、突起片３ｃを形成した側板３ｂは、一枚の板の形状であっても良いが、図１（ｂ）に示すように、側板３ｂを３枚に分割して、そのうち両端の２枚各々に突起片３ｃを形成しても良い。なお、突起片３ｃを形成した前記両端の２枚の側板各々には、係止板３ｄを形成せずに、それら側板の端部各々に突起片３ｃのみを形成しても良い。
【００１７】
図２（ａ）に示すように、プリント基板１０に実装した端子台１の両脇に、部材５を配置する。部材５各々は、プリント基板止めねじ６各々により、プリント基板１０に固定される。部材５の頂部の端子台１側の部位には、係止端部５ａを形成する。この係止端部５ａは、図２（ａ）に示すように、オーバーハングのある段の形状を持っているが、その形状に限定されるものではない。係止端部５ａの頂面は、円弧の形状を持っている。
【００１８】
端子ねじ脱落防止用金具３は、端子台本体２の外形に沿って、移動できるように配置されている。図２（ｃ）に示すように、端子ねじ４を、端子台本体２のねじ穴に螺合し締め付けた状態から、端子ねじ４をねじ穴から外していくと、端子ねじ脱落防止用金具３は、端子台本体２から離すように移動する。そして、端子ねじ脱落防止用金具３は、端子台本体２から離すように移動していくと、脱落防止用金具３の突起片３ｃ各々が、部材５各々の係止端部５ａに当接する。そして、継続して、端子ねじ脱落防止用金具３を、端子台本体２から離すように移動させると、図２（ｂ）に示すように、当接した係止端部５ａから、突起片３ｃの内方へ向けて力が作用するので、その力に応じて、突起片３ｃは内方へ縮むように変形する。このように、突起片３ｃが内方へ縮むように変形するので、突起片３ｃは係止端部５ａの段を乗り越えることができる。なお、図２（ｂ）に示す拡大図は、突起片３ｃから係止端部５ａの方向へ作用する力Ｆと、その分力ｆ１およびｆ２、そして、ｆ１の反力であるｆ３を表したものである。継続して、端子ねじ脱落防止用金具３を、端子台本体２から離すように移動させると、図２（ａ）に示すように、ついには、突起片３ｃは係止端部５ａの段を乗り越える。この状態では、突起片３ｃ各々は係止端部５ａ各々に当接すると共に、係止板３ｄ各々は係止端部５ａ各々の段に当接する。したがって、端子ねじ脱落防止用金具３は、部材５各々に固定された状態になる。ただし、突起片３ｃ各々と係止板３ｄ各々が共に、係止端部５ａ各々の段に当接せずとも良く、具体的には、突起片３ｃ各々もしくは係止板３ｄ各々のいずれか一方のみが、係止端部５ａ各々の段に当接する、すなわち、突起片３ｃ各々と係止端部５ａ、係止板３ｄ各々と係止端部５ａの間には、寸法的なあそびがあっても良い。なお、この状態においては、図２（ａ）に示すように、端子ねじ４と端子台２本体との間に、空間ができ、この空間に、圧着端子などの被接続用配線の接続端１１を差し込むことができる。
【００１９】
以上より、第１の実施の形態に係る端子台は、端子ねじ脱落防止用金具３本体は変形せず、突起片３ｃのみが変形する形態をとるので、ねじ脱落防止用金具本体にとって歪などの変形を無くすことができる。
【００２０】
（第１の実施の形態の変形例）
図３に示す端子台は、第１の実施の形態の変形例である。第１の実施の形態の端子台は、係止端部５ａの頂面が円弧の形状を持っているのに対し、この変形例では、図３（ａ）に示すように、係止端部５ａの頂面は、円弧の形状ではなく、直線状である。なお、図３（ａ）に示すように、係止端部５ａの頂面との当接面の面積が大きくなるように、端子ねじ脱落防止用金具３の突起片３ｃを直線状としても良いが、その形状に限定されるものではなく、第１の実施の形態の突起片３ｃと同じく、円弧の形状としても良い。
【００２１】
以上より、第１の実施の形態の変形例に係る端子台は、端子ねじ脱落防止用金具３本体は変形せず、突起片３ｃのみが変形する形態をとるので、ねじ脱落防止用金具本体にとって歪などの変形を無くすことができる。そして、係止端部５ａの頂面と突起片３ｃとの当接面の面積が大きくなるので、第１の実施の形態の係止端部５ａの頂面と突起片３ｃに比べて、係止端部５ａの頂面と突起片３ｃとの間に大きな摩擦力が生じ、その摩擦力によって、端子ねじ脱落防止用金具３は、部材５各々に固定された状態になる。
【００２２】
（第２の実施の形態）
第２の実施の形態に係る端子台は、基本的には、第１の実施の形態に係る端子台と同じ構造である。異なる点は、図４に示すように、端子ねじ脱落防止用金具３の側板３ｂ各々には突起片３ｃを形成しない点と、端子ねじ脱落防止用金具３を端子台本体２に被せると、端子ねじ脱落防止用金具３を端子台本体２の間にできる空間に、圧縮ばね７を、端子台本体２の周囲に配置した点である。
【００２３】
第１の実施の形態と同じく、端子ねじ脱落防止用金具３は、端子台本体２の外形に沿って、移動できるように配置されている。図３（ｂ）に示すように、端子ねじ４を、端子台本体２のねじ穴に螺合し締め付けた状態から、端子ねじ４をねじ穴から外していくと、端子ねじ脱落防止用金具３は、端子台本体２から離すように移動する。なお、圧縮ばね７も端子ねじ脱落防止用金具３に当接しながら伸びる。そして、継続して、端子ねじ脱落防止用金具３を、端子台本体２から離すように移動させると、図３（ａ）に示すように、端子ねじ４をねじ穴から外した後、圧縮ばね７に押される形で、脱落防止用金具３が移動し、ついには、係止板３ｄ各々が係止端部５ａ各々の段に当接する。したがって、端子ねじ脱落防止用金具３は、部材５各々に固定された状態になる。なお、この状態においては、図３（ａ）に示すように、端子ねじ４と端子台２本体との間に、空間ができ、この空間に、圧着端子などの被接続用配線の接続端１１を差し込むことができる。
【００２４】
以上より、第２の実施の形態の変形例に係る端子台は、端子ねじ脱落防止用金具３本体は変形しないので、ねじ脱落防止用金具本体にとって歪などの変形を無くすことができる。
【産業上の利用可能性】
【００２５】
上述したとおり、本発明の実施形態に係る端子台は、産業用のプリント基板に端子台を設ける分野において、利用が可能である。
【符号の説明】
【００２６】
１      端子台
２      端子台本体
２ａ    ねじ穴
３      端子ねじ脱落防止用金具
３ａ    端子ねじ保持板
３ｂ    側板
３ｃ    突起片
３ｄ    係止板
４      端子ねじ
４ａ    ねじ頂
４ｂ    円筒部
４ｃ    ねじ部
５      部材
５ａ    係止端部
６      プリント基板止めねじ
７      圧縮ばね
１０    プリント基板
１１    被接続用配線の接続端
１００  端子台
１０１  端子台本体
１０２  ねじ脱落防止用金具
１０３  ねじ
【図１】
2011216298.tif 000003
【図２】
2011216298.tif 000004
【図３】
2011216298.tif 000005
【図４】
2011216298.tif 000006
【図５】
2011216298.tif 000007